(57)【特許請求の範囲】
【請求項１】
コンピュータ本体と、
前記コンピュータ本体の一端を軸として開閉可能な表示パネルと、
前記コンピュータ本体に前記軸とほぼ垂直な方向に設けられたレールと、
前記コンピュータ本体が有する面のうち、前記表示パネルの閉時に前記表示パネルと対向する面上を、前記レールに沿って移動可能なスライダと、
前記スライダと前記表示パネルとの双方に取り付けられ、取り付けられたそれぞれの位置を中心に回動可能な支柱と
を備え、
前記スライダが、前記表示パネルの閉動作の際の前記支柱の回動に応じて前記レールに沿って前記軸側と逆方向に移動し、前記表示パネルの閉時に前記表示パネルに重ならない位置に移動可能であること
を特徴とするコンピュータ。
【請求項２】
前記スライダが、前記表示パネルの開動作の際の前記支柱の回動に応じて前記レールに沿って前記軸側の方向に移動すること
を特徴とする請求項１に記載のコンピュータ。
【請求項３】
前記コンピュータ本体が、前記コンピュータ本体が有する面のうち前記表示パネルの閉時に前記表示パネル表示部と対向する面に、キーボードを有し、
前記レールが、前記キーボードを挟む両側に位置すること
を特徴とする請求項１又は２に記載のコンピュータ。
【請求項４】
前記スライダが、コントロールボタンを有し、前記表示パネルの閉時に前記コントロールボタンが前記表示パネルに重ならない位置に位置することを特徴とする請求項１〜３のいずれか1項に記載のコンピュータ。
【請求項５】
前記スライダが、さらに表示部を有し、前記表示パネルの閉時に前記表示部が前記表示パネルに重ならない位置に位置すること
を特徴とする請求項４に記載のコンピュータ。
【発明の詳細な説明】
【０００１】
【発明の属する技術分野】
本発明は、コンピュータに関し、特に、携帯用のワードプロセッサやパーソナルコンピュータ等の見開き型ノートブックパーソナルコンピュータＰＣ装置に関する。
【０００２】
【従来の技術】
図３は、従来の見開き型ノートブックＰＣ（Personal Computer：パーソナルコンピュータ）を示す図であり、（Ａ）は表示パネルを９０度開いた状態を示す図であり、（Ｂ）は表示パネルを閉じた状態を示す図である。
【０００３】
図３に示す見開き型ノートブックＰＣ１０１は、キーボード１０２が組込まれたフラットなコンピュータ本体１０３とＬＣＤ（Liquid Crystal Display：液晶表示器）１０４が組込まれたフラットな表示パネル１０５とが重ね合わされている。また、本体１０３と表示パネル１０５とが一端でヒンジ１０６に固定され、表示パネル１０５を閉じたときキーボード１０２とＬＣＤ１０４とは対向し、表示パネル１０５を開くとき一端でヒンジ１０６を枢軸にして表示パネル１０５が旋回される。コンピュータ本体１０３には、操作パネル１１０が組込まれている。操作パネル１１０には、コンピュータの状態を表示する状態表示ＬＣＤ１１１と表示パネル１０５を閉じたときに所定の操作、例えばアプリケーション起動、オーディオ再生、ビデオ再生等の制御を行うためのコントロールボタン１１２とが組込まれている。
【０００４】
また、コンピュータ本体１０３には、ポインティングデバイス１１４が組込まれており、通常のマウスと同等の機能を有する。ポインティングデバイス１１４は、フィンガタッチエリア１１４ａ、左クリックボタン１１４ｂおよび右クリックボタン１１４ｃからなり、フィンガタッチエリア１１４ａ上を指で上下左右になでることによりＬＣＤ１０４の画面上のカーソルの位置を移動できる。
【０００５】
【発明が解決しようとする課題】
しかしながら、従来技術による見開き型ノートブックＰＣは、ＬＣＤパネルを開いている状態でノートブックＰＣ本体上に物を置いたままＬＣＤパネルを閉じるとＬＣＤやキーボードが破損するという問題がある。
【０００６】
また、ＬＣＤパネルを閉じた状態でＣＤ再生などを行うためのコントロールボタンや状態表示ＬＣＤが手前についているノートブックＰＣでは、キーボード打鍵時にコントロールボタンを誤って押してしまいＰＣの誤動作が生じ、一方コントロールボタンを押さないようにしてキーを打つのは困難であるといった問題がある。
【０００７】
それゆえ、本発明はこれら問題を解決し、表示パネルを閉じる時に本体上の物でＬＣＤやキーボードの破損をなくし、かつ表示パネルを開いた状態でのコントロールボタンの誤操作をなくした携帯用のワードプロセッサやパーソナルコンピュータ等の見開き型ノートブックパーソナルコンピュータＰＣ装置を提供することを目的とする。
【０００８】
【課題を解決するための手段】
上記目的を達成するため本発明によるノートブックコンピュータ装置は、
コンピュータ本体と、
前記コンピュータ本体の一端を軸として開閉可能な表示パネルと、
前記コンピュータ本体に前記軸とほぼ垂直な方向に設けられたレールと、
前記コンピュータ本体が有する面のうち、前記表示パネルの閉時に前記表示パネルと対向する面上を、前記レールに沿って移動可能なスライダと、
前記スライダと前記表示パネルとの双方に取り付けられ、取り付けられたそれぞれの位置を中心に回動可能な支柱と
を備え、
前記スライダが、前記表示パネルの閉動作の際の前記支柱の回動に応じて前記レールに沿って前記軸側と逆方向に移動し、前記表示パネルの閉時に前記表示パネルに重ならない位置に移動可能であることを特徴とする。
【０００９】
上記ノートブックコンピュータ装置において、前記スライダが、前記表示パネルの開動作の際の前記支柱の回動に応じて前記レールに沿って前記軸側の方向に移動するようにしてもよい。
【００１０】
上記ノートブックコンピュータ装置において、前記コンピュータ本体が、前記コンピュータ本体が有する面のうち前記表示パネルの閉時に前記表示パネル表示部と対向する面に、キーボードを有し、前記レールが、前記キーボードを挟む両側に位置するようにしてもよい。
【００１１】
上記ノートブックコンピュータ装置において、前記スライダが、コントロールボタンを有し、前記表示パネルの閉時に前記コントロールボタンが前記表示パネルに重ならない位置に位置するようにしてもよい。
【００１２】
上記ノートブックコンピュータ装置において、前記スライダが、さらに表示部を有し、前記表示パネルの閉時に前記表示部が前記表示パネルに重ならない位置に位置するようにしてもよい。
【００１３】
【発明の実施の形態】
図１は本発明の実施例に係る見開き型ノートブックパーソナルコンピュータＰＣを示す図であり、（Ａ）は表示パネルを９０度開いた状態を示す図であり、（Ｂ）は表示パネルを閉じた状態を示す図である。
【００１４】
図１に示す見開き型ノートブックＰＣ１は、キーボード２が組込まれたフラットなコンピュータ本体３とＬＣＤ４が組込まれたフラットな表示パネル５とが重ね合わされている。また、本体３と表示パネル５とが一端でヒンジ６に固定され、表示パネル５を閉じたときキーボード２とＬＣＤ４とは対向し、表示パネル５を開くとき一端でヒンジ６を枢軸にして表示パネル５が旋回される。コンピュータ本体３には、操作パネルが組込まれておらず、スライダ８全体が本体３から着脱自在となっている。スライダ８には、コンピュータの状態を表示する状態表示ＬＣＤ１１と表示パネル５を閉じたときに所定の操作、例えばアプリケーション起動、オーディオ再生、ビデオ再生等の制御を行うためのコントロールボタン１２とが組込まれている。
【００１５】
コンピュータ本体３には、メモリ、磁気ディスク、ＨＤＤ、ＦＤＤ、ＣＤ−ＲＯＭドライブ、ＣＤ−Ｒ／ＲＷ、ＤＶＤ−ＲＯＭドライブ、ビデオコントローラ、キーボード２、ポインティングデバイス１４が設けられている。
【００１６】
また、コンピュータ本体３には、ポインティングデバイス１４が組込まれており、通常のマウスと同等の機能を有する。ポインティングデバイス１４は、フィンガタッチエリア１４ａ、左クリックボタン１４ｂおよび右クリックボタン１４ｃからなり、フィンガタッチエリア１４ａ上を指で上下左右になでることによりＬＣＤ４の画面上のカーソルの位置を移動できる。
【００１７】
見開き型ノートブックＰＣ１は、本体３の表面の両側に設けられたレール７と、表示パネル５の開閉に連動して本体３の表面上をレール７に沿って移動するスライダ８と、一端がスライダ８に他端が表示パネル５に固定される支柱９と、を備える。
【００１８】
支柱９は、表示パネル５とスライダ８の両側にそれぞれ設けられ、スライダ８を押圧して本体３の表面上のレール７に沿ってスライダ８を移動する。
【００１９】
スライダ８は、表示パネル５が９０度以上開いているときは、本体３表面上のヒンジ（枢軸）６側の直近位置に固定され、表示パネル５が閉じたときは、本体３表面上の枢軸６側から離れた位置に固定される。
【００２０】
スライダ８は、表示パネル５を閉じきったとき、表示パネル５に重ならない表示パネル５に隣接した位置にある。
【００２１】
スライダ８は、表示パネル５を閉じる時、本体３表面上に載っている本体３から分離し得る物、例えばペンを掃き出す。
【００２２】
ＬＣＤ４の表示パネル５が開いている状態では、スライダ８はＬＣＤ４側に固定されている。ＬＣＤ４の表示パネル５を閉じようとするとスライダ８は支柱９によって押され、レール７上を表示パネル５の手前に向かって移動する。このとき本体３上に載っているペンなどの本体３から分離し得る物はスライダ８によって掃き出され、ＬＣＤ４の表示パネル５が完全に閉じきるまでに、本体３上に載っている物によってＬＣＤ４やキーボード２が破損されることを防ぐことができる。
【００２３】
前述したように、スライダ８には、状態表示ＬＣＤ１１とコントロールボタン１２が組込まれている。状態表示ＬＣＤ１１は、見開き型ノートブックＰＣ１の電源オン・オフ状態、ＡＣアダプタ接続状態、電池残量、ディスクアクセス状態などの情報を表示する。コントロールボタン１２は、アプリケーション起動、ＣＤ再生、ＤＶＤ再生などの制御に用いられる。
【００２４】
状態表示ＬＣＤ１１とコントロールボタン１２は、ＬＣＤ４の表示パネル５が開いているとき、ＬＣＤ４側に固定されているため、キーボード２を打つ手の下に隠れることがないので、コントロールボタン１２を誤操作することがなくなり操作性が向上する。一方、状態表示ＬＣＤ１１とコントロールボタン１２は、ＬＣＤ４の表示パネル５を閉じたときに、表示パネル５により隠されることがなくなるので、状態表示ＬＣＤ１１の確認やコントロールボタン１２を使った操作が可能となる。
【００２５】
図２は、他の実施形態に係る見開き型ノートブックパーソナルコンピュータの表示パネルを４５度開いた状態を示す図である。
【００２６】
スライダ８の一部には、本体３から着脱自在な操作パネル１０が組込まれており、操作パネル１０には、コンピュータの状態表示部１１と制御ボタン１２とが設けられている。スライダ８の操作パネル１０が組込まれない部分にも制御ボタン１２が設けられている。他の形態として、操作パネル１０は、本体３から着脱自在なスライダ８全体で構成してもよい。
【００２７】
状態表示部１１は、電子メールの着信、オーディオ再生中、ＤＶＤによるビデオの再生中や巻き戻しや頭出し中や停止、およびインターネットの接続中、等を表示する。制御ボタン１２は、コンピュータのアプリケーション制御、例えばインターネットへの接続や電子メールの受信確認、オーディオ（ＣＤＲＯＭ）制御およびビデオ（ＤＶＤ）制御等に用いられる。
【００２８】
スライダ８と本体３は、それぞれ、これらの間でデータを送受信する通信手段（図示せず）を有する。また、本体３とスライダ８の一部に組込まれた操作パネル１０は、これらの間でデータを送受信する通信手段（図示せず）を有する。この通信手段には、赤外線通信または無線通信等による方式が用いられる。
【００２９】
（付記１）  キーボードが組込まれたフラットなコンピュータ本体とＬＣＤが組込まれたフラットな表示パネルとが重ね合わされ、該本体と該表示パネルとが一端で固定され、該表示パネルを閉じたとき該キーボードと該ＬＣＤとは対向し、該表示パネルを開くとき該一端を枢軸にして該表示パネルが旋回されるノートブックコンピュータ装置において、
前記本体の表面の両側に設けられたレールと、
前記表示パネルの開閉に連動して前記本体の表面上を前記レールに沿って移動するスライダと、
一端が前記スライダに他端が前記表示パネルに固定される支柱と、
を備えたことを特徴とするノートブックコンピュータ装置。
【００３０】
（付記２）  前記支柱は、前記表示パネルと前記スライダの両側にそれぞれ設けられ、前記スライダを押圧して前記本体の表面上の前記レールに沿って該スライダを移動する、
付記１記載のノートブックコンピュータ装置。
【００３１】
（付記３）  前記スライダは、前記表示パネルが９０度以上開いているときは、前記本体表面上の前記枢軸側の直近位置に固定され、該表示パネルが閉じたときは、該本体表面上の該枢軸側から離れた位置に固定される、
付記１または２に記載のノートブックコンピュータ装置。
【００３２】
（付記４）  前記スライダは、前記表示パネルを閉じきったとき、該表示パネルに重ならない該表示パネルに隣接した位置にある、
付記１乃至３の何れか一つに記載のノートブックコンピュータ装置。
【００３３】
（付記５）  前記スライダは、前記表示パネルを閉じる時、前記本体表面上に載っている該本体から分離し得る物を掃き出す、
付記１乃至４の何れか一つに記載のノートブックコンピュータ装置。
【００３４】
（付記６）  前記スライダは、前記コンピュータの状態表示部と制御ボタンとのうち少なくとも一方を備える、
付記１乃至５の何れか一つに記載のノートブックコンピュータ装置。
【００３５】
（付記７）  前記制御ボタンは、前記コンピュータのアプリケーション制御、オーディオ制御およびビデオ制御のうちの少なくとも一つの制御に用いられる、
付記１乃至６の何れか一つに記載のノートブックコンピュータ装置。
【００３６】
（付記８）  前記スライダと前記本体は、それぞれ、これらの間でデータを送受信する通信手段を有する、
付記１乃至７の何れか一つに記載のノートブックコンピュータ装置。
【００３７】
（付記９）  前記スライダは、一部または全部を前記本体から着脱自在な、付記１乃至８の何れか一つに記載のノートブックコンピュータ装置。
【００３８】
（付記１０）  前記本体と前記スライダの一部または全部は、それぞれ、これらの間でデータを送受信する通信手段を有する、
付記９記載のノートブックコンピュータ装置。
【００３９】
【発明の効果】
以上説明したように、本発明によれば、ＬＣＤの表示パネルを閉じる時にコンピュータ装置の本体上にある物を自動的に掃き出すスライダを設けたので、本体上にある物でＬＣＤやキーボードを破損することがなくなる。
【００４０】
また、本発明によれば、ＬＣＤの表示パネルを開く時にスライダに設けられたコントロールボタンがスライダとともに奥の表示パネル側に移動するので、表示パネルを開いた状態でのコントロールボタンの誤操作がなくなり、キーボードの打鍵がスムーズになり、コンピュータ装置の利便性を高めることができる。
【図面の簡単な説明】
【図１】本発明の実施例に係る見開き型ノートブックパーソナルコンピュータを示す図であり、（Ａ）は表示パネルを９０度開いた状態を示す図であり、（Ｂ）は表示パネルを閉じた状態を示す図である。
【図２】他の実施形態に係る見開き型ノートブックパーソナルコンピュータの表示パネルを４５度開いた状態を示す図である。
【図３】従来の見開き型ノートブックパーソナルコンピュータを示す図であり、（Ａ）は表示パネルを９０度開いた状態を示す図であり、（Ｂ）は表示パネルを閉じた状態を示す図である。
【符号の説明】
１…見開き型ノートブックパーソナルコンピュータ
２…キーボード
３…本体
４…ＬＣＤ
５…表示パネル
６…ヒンジ（枢軸）
７…レール
８…スライダ
９…支柱
１０…操作パネル
１１…状態表示ＬＣＤ
１２…制御ボタン
１４…ポインティングデバイス
【図１】
0004593024.tif 000002
【図２】
0004593024.tif 000003
【図３】
0004593024.tif 000004